(57)【要約】【課題】サスペンド状態での移動通信装置の消費電力を低減する。【解決手段】移動通信装置１０は、無線アクセス網２１，２２を用いてデータ通信を行うことができる。受信部１１は、無線アクセス網２１，２２からの受信信号を処理する。制御部１２は、無線アクセス網２１を用いたデータ通信後にプロセッサ１２ａがサスペンド状態に移行するとき、無線アクセス網２２とコネクションを確立し、受信部１１での無線アクセス網２１からの受信信号の処理を停止させる。【選択図】図１
2013030953.tif 000002
【特許請求の範囲】
【請求項１】
第１および第２の無線アクセス網を用いたデータ通信が可能な移動通信装置であって、
前記第１および第２の無線アクセス網からの受信信号を処理する受信部と、
プロセッサを備え、前記第１の無線アクセス網を用いたデータ通信後に前記プロセッサがサスペンド状態に移行するとき、前記第２の無線アクセス網とコネクションを確立し、前記受信部での前記第１の無線アクセス網からの受信信号の処理を停止させる制御部と、
を有する移動通信装置。
【請求項２】
前記制御部は、前記プロセッサの前記サスペンド状態が解除されると、前記受信部での前記第１の無線アクセス網からの受信信号の処理を再開させ、前記第２の無線アクセス網から前記第１の無線アクセス網へハンドオーバを行う、請求項１記載の移動通信装置。
【請求項３】
前記サスペンド状態の間に前記第１の無線アクセス網からの受信信号の処理を継続するか否かを示す設定情報を記憶する記憶部を更に有し、
前記制御部は、前記設定情報を参照して、前記第２の無線アクセス網とのコネクションの確立および前記第１の無線アクセス網からの受信信号の処理停止を決定する、
請求項１記載の移動通信装置。
【請求項４】
前記第２の無線アクセス網は、前記第１の無線アクセス網よりもカバーエリアの広い無線アクセス網である、請求項１記載の移動通信装置。
【請求項５】
前記第２の無線アクセス網と確立するコネクションは、ＰＰＰ（Point-to-Point Protocol）コネクションである、請求項１記載の移動通信装置。
【請求項６】
第１および第２の無線アクセス網を用いたデータ通信が可能でありプロセッサを備える移動通信装置が実行する無線通信方法であって、
前記第１および第２の無線アクセス網からの受信信号を処理し、
前記第１の無線アクセス網を用いたデータ通信後に前記プロセッサがサスペンド状態に移行するとき、前記第２の無線アクセス網とコネクションを確立し、前記第１の無線アクセス網からの受信信号の処理を停止する、
無線通信方法。
【発明の詳細な説明】
【技術分野】
【０００１】
本件は移動通信装置および無線通信方法に関する。
【背景技術】
【０００２】
現在、携帯電話システムや無線ＬＡＮ（Local Area Network）などの無線通信システムが広く利用されている。移動通信装置から利用できる無線アクセス網としては、ＣＤＭＡ（Code Division Multiple Access）２０００の１ｘネットワークやＥＶＤＯ（Evolution Data Only）ネットワーク、ＷｉＭＡＸネットワークなど、通信方式の異なる複数の種類の無線アクセス網がある。１ｘネットワークやＥＶＤＯネットワークは、多元接続方式として符号分割多元接続（ＣＤＭＡ）を用いる。ＷｉＭＡＸネットワークは、多元接続方式として直交周波数分割多元接続（ＯＦＤＭＡ：Orthogonal Frequency Division Multiple Access）を用いる。複数の種類の無線アクセス網を利用可能な移動通信装置もある。
【０００３】
例えば、携帯電話システムと無線ＬＡＮとを利用可能な端末であって、無線ＬＡＮエリア内に移動したことを検知すると、携帯電話機能をＯＦＦするか否かユーザに問い合わせることで、無線ＬＡＮエリア内での消費電力を低減する無線通信端末が提案されている。また、広域無線ネットワークと狭域無線ネットワークとを利用可能な端末であって、狭域無線ネットワークの利用中に信号品質が基準値以下になったことを検知すると、広域無線ネットワークへの接続処理を開始する無線端末装置が提案されている。
【先行技術文献】
【特許文献】
【０００４】
【特許文献１】特開２００５−２９５５３２号公報
【特許文献２】特開２００８−１１８７２１号公報
【発明の概要】
【発明が解決しようとする課題】
【０００５】
ところで、移動通信装置は、データ通信制御やユーザインタフェース制御に、プロセッサを用いることがある。プロセッサは、データ通信やユーザ操作などのイベントが一定時間発生しないと、低消費電力のサスペンド状態に移行することがある。プロセッサは、例えば、サスペンド状態ではアプリケーションプログラムやドライバプログラムの実行を停止してイベント発生を待ち、イベント発生を検知するとアクティブ状態に復帰する。
【０００６】
プロセッサがサスペンド状態に移行すると、無線アクセス網からの受信信号を処理する受信部は、サスペンド前のプロセッサからの指示に応じて、無線同期や基地局サーチなどの信号処理を継続する。ここで、データ通信に２以上の無線アクセス網を利用可能な移動通信装置で、ある無線アクセス網と他の無線アクセス網の両方の信号処理を継続することは、消費電力の点で不利となることがある。例えば、カバーエリアの広い無線アクセス網に加えてカバーエリアの狭い無線アクセス網の信号処理を継続すると、移動通信装置の移動によって基地局サーチの頻度が高くなり、消費電力が大きくなるおそれがある。
【０００７】
一方で、ネットワーク側から移動通信装置に対して送信するデータがあるとき、移動通信装置は、データ通信に関する呼び出し（ページング）を受け取る。移動通信装置がデータ通信に２以上の無線アクセス網を利用可能である場合、ページング情報は、現在データ通信経路が設定されている何れかの無線アクセス網を用いて伝送される。ある無線アクセス網を用いてデータ通信が行われた後は、データ通信経路は当該無線アクセス網に設定されたままとなる。そのため、移動通信装置は、単にある無線アクセス網の信号処理を停止すると他の無線アクセス網の圏内にいても、ページングを受け取れなくなることがある。
【０００８】
本件はこのような点に鑑みてなされたものであり、サスペンド状態での消費電力を低減できる移動通信装置および無線通信方法を提供することを目的とする。
【課題を解決するための手段】
【０００９】
第１および第２の無線アクセス網を用いたデータ通信が可能な移動通信装置が提供される。移動通信装置は、受信部と制御部とを有する。受信部は、第１および第２の無線アクセス網からの受信信号を処理する。制御部は、プロセッサを備え、第１の無線アクセス網を用いたデータ通信後にプロセッサがサスペンド状態に移行するとき、第２の無線アクセス網とコネクションを確立し、受信部での第１の無線アクセス網からの受信信号の処理を停止させる。
【００１０】
また、第１および第２の無線アクセス網を用いたデータ通信が可能でありプロセッサを備える移動通信装置が実行する無線通信方法が提供される。無線通信方法では、第１および第２の無線アクセス網からの受信信号を処理する。第１の無線アクセス網を用いたデータ通信後にプロセッサがサスペンド状態に移行するとき、第２の無線アクセス網とコネクションを確立し、第１の無線アクセス網からの受信信号の処理を停止する。
【発明の効果】
【００１１】
サスペンド状態での移動通信装置の消費電力を低減できる。
【図面の簡単な説明】
【００１２】
【図１】第１の実施の形態の移動通信装置を示す図である。
【図２】第２の実施の形態の移動通信システムを示す図である。
【図３】無線アクセス網のカバーエリアの例を示す図である。
【図４】無線アクセス網の無線チャネルの例を示す図である。
【図５】他の無線アクセス網の物理チャネルの例を示す図である。
【図６】ページングチャネルの受信タイミングの例を示す図である。
【図７】圏外サーチの例を示す図である。
【図８】移動局のハードウェア例を示すブロック図である。
【図９】無線送受信に関するブロック図である。
【図１０】制御部で実行されるソフトウェアの例を示すブロック図である。
【図１１】データ通信状態の遷移例を示す図である。
【図１２】サスペンド設定の画面例を示す図である。
【図１３】ＣＰＵのサスペンド移行の例を示すフローチャートである。
【図１４】ＣＰＵのサスペンド解除の例を示すフローチャートである。
【図１５】サスペンド時のデータ通信状態の遷移例を示す図である。
【図１６】無線アクセス網への接続例を示すシーケンス図である。
【図１７】無線アクセス網への接続例を示すシーケンス図（続き）である。
【図１８】ページングチャネルの受信例を示すシーケンス図である。
【図１９】他の無線アクセス網への接続例を示すシーケンス図である。
【図２０】ＰＰＰ接続の例を示すシーケンス図である。
【図２１】他のページングチャネルの受信例を示すシーケンス図である。
【図２２】ハンドオーバの例を示すシーケンス図である。
【図２３】ハンドオーバの例を示すシーケンス図（続き）である。
【発明を実施するための形態】
【００１３】
以下、本実施の形態を図面を参照して説明する。
［第１の実施の形態］
図１は、第１の実施の形態の移動通信装置を示す図である。
【００１４】
移動通信装置１０は、無線アクセス網２１，２２を利用してデータ通信（例えば、パケット通信）を行う。移動通信装置１０は、データ通信に関してデュアルモードまたはマルチモードで動作可能と言うことができる。移動通信装置１０は、例えば、携帯電話機（スマートフォンと呼ばれるものを含む）や携帯情報端末装置などの無線端末装置である。
【００１５】
無線アクセス網２１，２２は、無線信号を送信する基地局を含む。無線アクセス網２１，２２は、無線通信方式が互いに異なっていてもよい。例えば、無線アクセス網２１は、ＥＶＤＯネットワークやＷ−ＣＤＭＡ（Wideband Code Division Multiple Access）ネットワークなどのＣＤＭＡを用いた無線アクセス網でもよく、無線アクセス網２２は、ＷｉＭＡＸネットワークやＬＴＥ（Long Term Evolution）ネットワーク、ＬＴＥ−Ａ（Long Term Evolution Advanced）などのＯＦＤＭＡを用いた無線アクセス網であってもよい。また、無線アクセス網２１，２２は、カバーエリアの広さが異なってもよい。例えば、無線アクセス網２１は、無線アクセス網２２よりもカバーエリアが狭くてもよい。
【００１６】
移動通信装置１０は、受信部１１および制御部１２を有する。
受信部１１は、無線アクセス網２１，２２からの受信信号を処理する。受信信号の処理には、例えば、タイミング同期、基地局サーチ、無線チャネルであるページングチャネルの検出などが含まれる。ページングチャネルでは、データ通信に関する移動通信装置１０宛ての呼び出し情報（ページング情報）が伝送され得る。
【００１７】
制御部１２は、無線アクセス網２１，２２を利用したデータ通信を制御する。制御部１２は、プロセッサ１２ａを有する。プロセッサ１２ａは、例えば、プログラムを実行するＣＰＵ（Central Processing Unit）などの演算装置である。制御部１２は、更にＲＡＭ（Random Access Memory）などのメモリを有してもよい。
【００１８】
プロセッサ１２ａは、データ通信やユーザ操作などのイベントが一定時間発生しない場合には、低消費電力のサスペンド状態に移行する。プロセッサ１２ａは、サスペンド状態ではアプリケーションプログラムやドライバプログラムの実行を停止してイベント発生を待ち、イベント発生を検知するとアクティブ状態に復帰する。イベント発生時には、例えば、プロセッサ１２ａに対して割り込み信号が入力され、割り込み信号を受けてプロセッサ１２ａがサスペンド状態からアクティブ状態に移行する。割り込み信号の伝送には、例えば、ＧＰＩＯ（General Purpose Input/Output）を用いる。
【００１９】
ここで、制御部１２は、無線アクセス網２１を用いたデータ通信後にプロセッサ１２ａがサスペンド状態に移行するとき、無線アクセス網２２とコネクションを確立する。コネクションは、ＰＰＰ（Point-to-Point Protocol）コネクションであってもよい。これにより、データ通信経路が、無線アクセス網２１から無線アクセス網２２に切り替わる。また、制御部１２は、受信部１１における無線アクセス網２１からの受信信号の処理を停止させ、無線アクセス網２２からの受信信号の処理は継続させる。コネクション確立および受信部１１の処理停止は、何れを先に実行してもよい。コネクション確立および受信部１１の処理停止は、例えば、サスペンド前のプロセッサ１２ａを用いて制御される。
【００２０】
なお、制御部１２は、プロセッサ１２ａのサスペンド状態が解除されると、受信部１１における無線アクセス網２１からの受信信号の処理を再開させ、無線アクセス網２２から無線アクセス網２１へハンドオーバを行ってもよい。これにより、データ通信経路が、無線アクセス網２２から無線アクセス網２１に戻る。ハンドオーバは、例えば、サスペンド状態からアクティブ状態に復帰したプロセッサ１２ａを用いて制御される。ハンドオーバは、移動通信装置１０に割り当てられるアドレス（例えば、ＩＰ（Internet Protocol）アドレス）がハンドオーバ前後で変化しないように行ってもよい。
【００２１】
また、移動通信装置１０は、設定情報を記憶する記憶装置（例えば、フラッシュメモリなどの不揮発性の記憶装置）を有していてもよい。設定情報は、移動通信装置１０が備えるユーザインタフェース（例えば、タッチパネルなどの入力装置やディスプレイなどの出力装置）を用いて、ユーザが修正できるようにしてもよい。設定情報は、例えば、サスペンド状態の間に無線アクセス網２１からの受信信号の処理を継続するか否かを示す情報を含む。その場合、制御部１２は、記憶装置に格納された設定情報を参照して、プロセッサ１２ａがサスペンド状態に移行するときの処理を決定するようにしてもよい。
【００２２】
第１の実施の形態の移動通信装置１０によれば、無線アクセス網２１，２２からの受信信号が処理される。そして、無線アクセス網２１を用いたデータ通信後にプロセッサ１２ａがサスペンド状態に移行するとき、無線アクセス網２２とコネクションが確立され、無線アクセス網２１からの受信信号の処理が停止されてから、サスペンド状態に移行する。
【００２３】
これにより、プロセッサ１２ａがサスペンド状態である間、無線アクセス網２１，２２のうち無線アクセス網２１からの受信信号の処理を停止することができ、両方の受信信号の処理を継続する場合と比べて、消費電力を低減することができる。特に、無線アクセス網２１のカバーエリアが無線アクセス網２２のカバーエリアよりも狭いとき、無線アクセス網２１の受信信号の処理を停止することで、無線アクセス網２１の基地局サーチが高頻度で生じることによる消費電力の増加を回避できる。
【００２４】
また、無線アクセス網２１に設定されていたデータ通信経路を、コネクション確立によって無線アクセス網２２に切り替えることができる。よって、移動通信装置１０は、サスペンド状態である間、無線アクセス網２１の受信信号の処理を停止しても、データ通信に関する自装置宛てのページングを無線アクセス網２２から受け取ることができる。なお、データ通信経路は、無線アクセス網２１，２２の間で排他的に設定されるものでもよい。
【００２５】
以下に説明する第２の実施の形態では、ＥＶＤＯネットワークとＷｉＭＡＸネットワークを用いてデータ通信を行う例を挙げる。ただし、第２の実施の形態で説明する通信制御方法は、Ｗ−ＣＤＭＡネットワークやＬＴＥネットワーク、ＬＴＥ−Ａネットワークなど他の種類の無線アクセス網に応用してもよい。
【００２６】
［第２の実施の形態］
図２は、第２の実施の形態の移動通信システムを示す図である。移動通信システムは、移動局１００、無線アクセス網２１０，２２０，２３０、公衆電話網（ＰＳＴＮ：Public Switched Telephone Network）３１０およびＩＰコアネットワーク３２０を有する。
【００２７】
移動局１００は、携帯電話機や携帯情報端末装置などの無線端末装置である。移動局１００は、ＣＤＭＡ２０００の１ｘ、ＣＤＭＡ２０００のＥＶＤＯおよびＷｉＭＡＸの３つの通信方式を用いて無線通信を行うことができる。移動局１００は、１ｘ方式によって音声通信を行い、ＥＶＤＯ方式およびＷｉＭＡＸ方式によってデータ通信を行う。
【００２８】
無線アクセス網２１０は、ＣＤＭＡ２０００の１ｘ方式で移動局１００と無線通信を行い、回線交換方式で音声信号を伝送するネットワークである。無線アクセス網２１０は、ＰＳＴＮ３１０と接続されている。無線アクセス網２１０は、基地局２１１を含む複数の基地局、ＭＳＣ（Mobile Switching Center）２１２、ＨＬＲ（Home Location Register）２１３およびＧＭＳＣ（Gateway Mobile Switching Center）２１４を有する。各基地局がセルを形成し、セルの集合によって無線アクセス網２１０のエリアが形成される。
【００２９】
基地局２１１は、移動局１００と無線通信を行い、ＭＳＣ２１２と有線通信を行う通信装置である。基地局２１１は、音声信号を移動局１００とＭＳＣ２１２の間で転送する。ＭＳＣ２１２は、基地局２１１およびＧＭＳＣ２１４と接続された交換機である。ＭＳＣ２１２は、基地局２１１を介して移動局１００とコネクションを確立し、音声信号を処理する。ＨＬＲ２１３は、加入者情報のデータベースを管理する。加入者情報は、ＭＳＣ２１２により参照され、音声通信の制御に用いられる。ＧＭＳＣ２１４は、ＰＳＴＮ３１０と接続されたゲートウェイ装置であり、音声信号を転送する。
【００３０】
無線アクセス網２２０は、ＣＤＭＡ２０００のＥＶＤＯ方式で移動局１００と無線通信を行い、パケット交換方式でデータを伝送するネットワークである。無線アクセス網２２０は、ＩＰコアネットワーク３２０と接続されている。無線アクセス網２２０は、無線アクセス網２１０と共通に用いられる複数の基地局、ＰＣＦ（Packet Control Function）２２１およびＰＤＳＮ（Packet Data Serving Node）２２２を有する。各基地局がセルを形成し、セルの集合によって無線アクセス網２２０のエリアが形成される。なお、図２の例では、基地局２１１は無線アクセス網２１０，２２０の両方に属しているが、無線アクセス網２１０用の基地局と無線アクセス網２２０用の基地局とに分けてもよい。
【００３１】
基地局２１１は、移動局１００と無線通信を行い、ＰＣＦ２２１と有線通信を行う。基地局２１１は、パケット形式のデータを移動局１００とＰＣＦ２２１の間で転送する。ＰＣＦ２２１は、基地局２１１およびＰＤＳＮ２２２に接続され、パケット形式のデータを転送する。ＰＤＳＮ２２２は、ＩＰコアネットワーク３２０と接続されたゲートウェイ装置である。ＰＤＳＮ２２２は、基地局２１１およびＰＣＦ２２１を介して移動局１００とＰＰＰコネクションを確立し、パケット形式のデータを転送する。
【００３２】
無線アクセス網２３０は、ＷｉＭＡＸ方式で移動局１００と無線通信を行い、パケット交換方式でデータを伝送するネットワークである。無線アクセス網２３０は、ＩＰコアネットワーク３２０と接続されている。無線アクセス網２３０は、基地局２３１を含む複数の基地局およびＡＳＮ（Access Service Network）ゲートウェイ２３２を有する。各基地局がセルを形成し、セルの集合によって無線アクセス網２３０のエリアが形成される。
【００３３】
基地局２３１は、移動局１００と無線通信を行い、ＡＳＮゲートウェイ２３２と有線通信を行う通信装置である。基地局２３１は、パケット形式のデータを移動局１００とＡＳＮゲートウェイ２３２の間で転送する。ＡＳＮゲートウェイ２３２は、ＩＰコアネットワーク３２０と接続されたゲートウェイ装置であり、パケット形式のデータを転送する。
【００３４】
ＰＳＴＮ３１０は、回線交換方式によって音声信号を伝送する電話網であり、交換機を備える。ＰＳＴＮ３１０は、固定電話機からも利用され得る。なお、ＰＳＴＮ３１０に代えて、ＩＳＤＮ（Integrated Service Digital Network）を用いてもよい。
【００３５】
ＩＰコアネットワーク３２０は、移動局１００のデータ通信を制御し、パケット交換方式によってデータを伝送するＩＰネットワークである。ＩＰコアネットワーク３２０は、無線アクセス網２２０，２３０と接続されている。ＩＰコアネットワーク３２０は、ホームエージェント（ＨＡ：Home Agent）３２１および認証・許可・課金（ＡＡＡ：Authentication, Authorization and Accounting）サーバ３２２を有する。
【００３６】
ホームエージェント３２１は、無線アクセス網２２０，２３０に接続した移動局１００を登録し、登録情報に基づいて移動局１００のデータを転送する通信装置である。ホームエージェント３２１は、移動局１００が無線アクセス網２２０，２３０の何れを利用してデータ通信を行っているか確認し、移動局１００宛てのデータをＰＤＳＮ２２２またはＡＳＮゲートウェイ２３２に転送する。ＡＡＡサーバ３２２は、移動局１００の認証や、移動局１００のユーザに対する課金を行うサーバ装置である。
【００３７】
ここで、移動局１００は、無線アクセス網２２０，２３０の何れか一方を選択してデータ通信を行う。データ通信経路は、無線アクセス網２２０，２３０の間で排他的に設定される。移動局１００が無線アクセス網２２０とＰＰＰコネクションを確立すると、移動局１００およびＩＰコアネットワーク３２０は、無線アクセス網２２０側にデータ通信経路が設定され、無線アクセス網２３０は利用されていない状態と認識する。一方、移動局１００が無線アクセス網２３０に接続する（エントリ手続きを実行する）と、移動局１００およびＩＰコアネットワーク３２０は、無線アクセス網２３０側にデータ通信経路が切り替えられ、無線アクセス網２２０のＰＰＰコネクションは無効になったと認識する。
【００３８】
移動局１００がデータ通信を行っていないとき、ＩＰコアネットワーク３２０から移動局１００へ送信するデータが発生すると、無線アクセス網２２０，２３０のうちデータ通信経路が設定されている方から、移動局１００宛てにページング情報が送信される。無線アクセス網２２０のＰＰＰコネクションが確立されているときは、基地局２１１が移動局１００にページング情報を無線送信する。一方、移動局１００が無線アクセス網２３０に接続しており無線アクセス網２２０のＰＰＰコネクションが確立されていないときは、基地局２３１が移動局１００にページング情報を無線送信する。
【００３９】
なお、移動局１００は、第１の実施の形態の移動通信装置１０の一例である。無線アクセス網２３０は、第１の実施の形態の無線アクセス網２１の一例である。無線アクセス網２２０は、第１の実施の形態の無線アクセス網２２の一例である。
【００４０】
図３は、無線アクセス網のカバーエリアの例を示す図である。第２の実施の形態では、無線アクセス網２３０（ＷｉＭＡＸ）のカバーエリアは、無線アクセス網２１０，２２０（１ｘ／ＥＶＤＯ）のカバーエリアよりも狭く、無線アクセス網２１０，２２０のカバーエリアの少なくとも一部と重複している。例えば、無線アクセス網２３０のカバーエリアは、無線アクセス網２１０，２２０のエリア内に点在している。
【００４１】
無線アクセス網２３０のカバーエリアは比較的狭いため、移動局１００は、無線アクセス網２３０の圏外に移動する可能性がある。ただし、移動局１００は、無線アクセス網２３０を利用することで、無線アクセス網２２０よりも高速・広帯域のデータ通信を行うことができる。よって、移動局１００は、無線アクセス網２３０の圏内でデータ通信を行うときは、無線アクセス網２３０を優先的に利用することが好ましい。
【００４２】
図４は、無線アクセス網の無線チャネルの例を示す図である。図４は、（Ａ）無線アクセス網２１０で送信される１ｘ方式の無線チャネルと、（Ｂ）無線アクセス網２２０で送信されるＥＶＤＯ方式の無線チャネルの例を示している。
【００４３】
無線アクセス網２１０について、基地局２１１は、異なる周波数で、トラフィックチャネル（ＴＣＨ：Traffic Channel）とページングチャネル（ＰＣＨ：Paging Channel）と既知のパイロット信号を送信する。トラフィックチャネルには音声信号が含まれ、ページングチャネルには音声着信を示すページング情報が含まれ得る。移動局１００は、待ち受け中、間欠的に自局宛てのページング情報の有無を確認し、音声着信を判断する。また、移動局１００は、パイロット信号を受信してタイミング同期をとる。
【００４４】
無線アクセス網２２０について、基地局２１１は、同一周波数で、時分割にデータと既知のパイロット信号を送信する。２分の１スロット（１０２４チップ）のうち、９２８チップがデータに割り当てられ、９６チップがパイロット信号に割り当てられる。データには、データ着信を示すページング情報が含まれ得る。移動局１００は、待ち受け中、間欠的に自局宛てのページング情報の有無を確認し、データ着信を判断する。また、移動局１００は、パイロット信号を受信してタイミング同期をとる。
【００４５】
図５は、他の無線アクセス網の物理チャネルの例を示す図である。図５は、無線アクセス網２３０で送信されるＷｉＭＡＸ方式の無線フレームの例を示している。
ＯＦＤＭＡでは、無線リソースが周波数方向と時間方向とに細分化されて、各種の無線チャネルに割り当てられる。５ミリ秒の無線フレームは、下りリンク（ＤＬ：Downlink）サブフレームと上りリンク（ＵＬ：Uplink）サブフレームを含む。ＤＬサブフレームとＵＬサブフレームの間には、ＴＴＧ（Transmit Transition Gap）と呼ばれるインターバルが挿入される。ＵＬサブフレームと次の無線フレームのＤＬサブフレームの間には、ＲＴＧ（Receive Transition Gap）と呼ばれるインターバルが挿入される。
【００４６】
基地局２３１が送信するＤＬサブフレームは、プリアンブル、ＦＣＨ（Frame Control Header）、ＤＬ−ＭＡＰ、ＵＬ−ＭＡＰおよびＤＬバーストを含む。移動局１００が送信するＵＬサブフレームは、レンジング領域およびＵＬバーストを含む。
【００４７】
プリアンブルは、既知のパイロット信号である。ＦＣＨは、移動局１００がＭＡＰ領域を認識するための情報を含む。ＤＬ−ＭＡＰは、ＤＬバーストの割り当て状況を示す制御情報である。なお、ＵＬ−ＭＡＰ領域も、ＤＬバーストの一部として取り扱われる。ＵＬ−ＭＡＰは、ＵＬバーストの割り当て状況を示す制御情報である。なお、レンジング領域も、ＵＬバーストの一部として取り扱われる。ＤＬバーストには、パケット形式のデータやページング情報、ＵＬチャネル記述子（ＵＣＤ：Uplink Channel Descriptor）などが含まれ得る。ＵＣＤは、ＵＬバーストで使用できる変調符号化方式などの特性を示す。
【００４８】
レンジング領域では、移動局１００が基地局２３１に対し、所定の信号系列であるレンジングコードを送信することができる。基地局２３１は、レンジングコードを検出することで、自局にアクセスする移動局の存在を認識する。ＵＬバーストでは、移動局１００が基地局２３１に対し、パケット形式のデータを送信することができる。移動局１００は、無線アクセス網２３０に接続するとき、プリアンブルを受信してタイミング同期をとり、レンジング領域でレンジングコードを基地局２３１に送信する。また、待ち受け中、間欠的に自局宛てのページング情報の有無を確認し、データ着信を判断する。
【００４９】
図６は、ページングチャネルの受信タイミングの例を示す図である。移動局１００は、無線アクセス網２２０とＰＰＰコネクションを確立しておりＥＶＤＯ方式のアイドルモードで待ち受け中のとき、基地局２１１から間欠的にページングチャネルを受信する。また、移動局１００は、無線アクセス網２３０と接続しておりＷｉＭＡＸ方式のアイドルモードで待ち受け中のとき、基地局２３１から間欠的にページングチャネルを受信する。
【００５０】
例えば、移動局１００は、ＥＶＤＯ方式のアイドルモードで待ち受け中、５．１２秒毎に基地局２１１からページングチャネルを受信する（Ａ）。このとき、データ通信経路は無線アクセス網２２０に設定されており、移動局１００宛てのページング情報は無線アクセス網２３０からは送信されない。よって、移動局１００は、基地局２３１からＷｉＭＡＸ方式のページングチャネルを受信しなくてもよい。
【００５１】
また、例えば、移動局１００は、ＷｉＭＡＸ方式のアイドルモードで待ち受け中、１．２８秒毎に基地局２３１からページングチャネルを受信する（Ｂ）。このとき、データ通信経路は無線アクセス網２３０に設定されており、移動局１００宛てのページング情報は無線アクセス網２２０からは送信されない。よって、移動局１００は、基地局２１１からＥＶＤＯ方式のページングチャネルを受信しなくてもよい。
【００５２】
待ち受け中にＷｉＭＡＸ方式のページングチャネルの受信に失敗すると、例えば、移動局１００は、最大で５秒間、アクセス可能な新たな基地局のサーチ（圏外サーチ）を実行する。５秒以内に新たな基地局を検出できなかった場合、移動局１００は、無線アクセス網２３０の圏外に移動したと判断する。その後、移動局１００は、無線アクセス網２３０の圏内に戻ったことを検出するために、間欠的に圏外サーチを実行してもよい。
【００５３】
図７は、圏外サーチの例を示す図である。図７の例では、無線アクセス網２３０のセルが、３つの周波数帯（例えば、中心周波数がｆ１＝２．６２ＧＨｚ，ｆ２＝２．６１ＧＨｚ，ｆ３＝２．６０ＧＨｚの周波数帯）の何れか１つを無線通信に用いている場合を想定している。圏外サーチにおいて、移動局１００は、サーチ対象の周波数を１００ミリ秒毎に切り替え、３つの周波数ｆ１，ｆ２，ｆ３を繰り返しサーチする。１００ミリ秒の１回のサーチは、６０ミリ秒の前半処理と４０ミリ秒の後半処理とを含む。
【００５４】
６０ミリ秒の前半処理では、移動局１００は、プリアンブルを検出することでタイミング同期を試み、１１４個あるプリアンブルインデックスの候補を１０個に絞り込む。４０ミリ秒の後半処理では、移動局１００は、受信信号レベルとしてＲＳＳＩ（Received Signal Strength Indication）を測定し、受信品質としてＣＩＮＲ（Carrier to Interference and Noise Ratio）を測定する。また、移動局１００は、使用されているプリアンブルインデックスを特定する。例えば、ＲＳＳＩやＣＩＮＲが閾値以上であるセルが、移動局１００からアクセス可能であると判定される。
【００５５】
図８は、移動局のハードウェア例を示すブロック図である。移動局１００は、無線受信部１２０、受信処理部１３０、制御部１４０、表示部１５１、入力部１５２、スピーカ１５３、マイクロホン１５４、記憶部１５５、送信処理部１６０および無線送信部１７０を有する。制御部１４０は、ＣＰＵ１０１およびＲＡＭ１０２を有する。
【００５６】
無線受信部１２０は、無線アクセス網２１０，２２０，２３０から受信される無線信号を処理する。無線受信部１２０は、高周波の無線信号をデジタルベースバンド信号に変換（ダウンコンバート）して、受信処理部１３０に出力する。
【００５７】
受信処理部１３０は、無線受信部１２０から受信信号としてデジタルベースバンド信号を取得し、デジタル復調や誤り訂正復号を含むベースバンド処理を行う。受信処理部１３０は、受信信号から音声信号やデータを抽出し、制御部１４０に出力する。
【００５８】
制御部１４０は、無線受信部１２０、受信処理部１３０、送信処理部１６０および無線送信部１７０を用いた無線通信を制御する。また、制御部１４０は、表示部１５１、入力部１５２、スピーカ１５３およびマイクロホン１５４を用いて実現されるユーザインタフェースを制御する。制御部１４０は、ＣＰＵ１０１およびＲＡＭ１０２を有する。
【００５９】
ＣＰＵ１０１は、アプリケーションプログラムやドライバプログラムなどのプログラムを実行するプロセッサである。ドライバプログラムには、受信処理部１３０や送信処理部１６０を制御する無線通信用プログラムや、表示部１５１や入力部１５２を制御するユーザインタフェース用プログラムが含まれる。ＣＰＵ１０１は、記憶部１５５に記憶されたプログラムやデータの少なくとも一部を読み出し、プログラムを実行する。ＲＡＭ１０２は、ＣＰＵ１０１が用いるプログラムやデータを一時的に記憶する揮発性メモリである。
【００６０】
ここで、ＣＰＵ１０１は、アクティブ状態のときにイベントが一定時間発生しないと、低消費電力のサスペンド状態に移行し、サスペンド状態のときにイベントが発生すると、アクティブ状態に復帰する。アクティブ状態では、ＣＰＵ１０１は、アプリケーションプログラムやドライバプログラムを実行している。サスペンド状態では、ＣＰＵ１０１は、アプリケーションプログラムやドライバプログラムを終了し、イベント発生を示す割り込み信号が入力されるのを待つ。イベントには、データ通信やユーザ操作が含まれる。割り込み信号は、ＧＰＩＯの信号線を介してＣＰＵ１０１に入力される。例えば、データ通信を示す割り込み信号が、受信処理部１３０からＣＰＵ１０１に入力され、ユーザ操作を示す割り込み信号が、入力部１５２からＣＰＵ１０１に入力される。
【００６１】
表示部１５１は、制御部１４０から画面フレームを取得し、画面を表示するインタフェースである。表示部１５１として、例えば、液晶ディスプレイ（ＬＣＤ：Liquid Crystal Display）や有機ＥＬ（Electro Luminescence）ディスプレイを用いることができる。
【００６２】
入力部１５２は、ユーザ入力を受け付け、入力信号を制御部１４０に出力するインタフェースである。入力部１５２としては、例えば、タッチパネルやキーパッドを用いることができる。タッチパネルを用いる場合、タッチパネルは、表示部１５１に重ねて配置されて、画面上のユーザがタッチした位置を検出する。タッチ操作には、タッチペンなどのポインティングデバイスまたはユーザの指が用いられる。タッチ位置の検出には、例えば、マトリクススイッチ方式、抵抗膜方式、表面弾性波方式、赤外線方式、電磁誘導方式、静電容量方式などの検出方式を用いることができる。キーパッドを用いる場合、移動局１００の筐体の表面に、１またはそれ以上の入力キーが配置される。
【００６３】
スピーカ１５３は、制御部１４０から取得する音声信号としての電気信号を物理振動に変換し、音を再生するインタフェースである。例えば、ユーザが通話を行っているとき、通話相手の声や背景雑音がスピーカ１５３から出力される。
【００６４】
マイクロホン１５４は、音の物理振動を電気信号に変換して音声入力を受け付け、音声信号としての電気信号を制御部１４０に出力するインタフェースである。例えば、ユーザが通話を行っているとき、ユーザの声や背景雑音がマイクロホン１５４から入力される。
【００６５】
記憶部１５５は、プログラムやデータを記憶する不揮発性メモリである。記憶部１５５は、フラッシュメモリであってもよい。プログラムには、アプリケーションプログラムや移動局１００が備えるインタフェースに対応するドライバプログラムが含まれる。データには、設定情報が含まれる。後述するように、設定情報には、ＣＰＵ１０１がサスペンド状態である間、移動局１００が無線アクセス網２３０（ＷｉＭＡＸ）の信号処理を継続するか否かを示す情報が含まれる。設定情報は、表示部１５１および入力部１５２を用いてユーザから入力され、制御部１４０によって記憶部１５５に書き込まれる。
【００６６】
送信処理部１６０は、移動局１００で生成された音声信号やデータを制御部１４０から取得し、デジタル変調や誤り訂正符号化を含むベースバンド処理を行う。送信処理部１６０は、送信信号としてのデジタルベースバンド信号を無線送信部１７０に出力する。
【００６７】
無線送信部１７０は、無線アクセス網２１０，２２０，２３０に送信する送信信号を処理する。無線送信部１７０は、送信処理部１６０から取得したデジタルベースバンド信号を高周波の無線信号に変換（アップコンバート）し、アンテナから出力する。
【００６８】
例えば、受信処理部１３０および送信処理部１６０は、バスを介して制御部１４０と接続されている。表示部１５１、入力部１５２、スピーカ１５３、マイクロホン１５４および記憶部１５５は、バスを介して制御部１４０と接続されている。前者のバスと後者のバスは、同じバスであってもよいし、図８に示すように異なるバスであってもよい。
【００６９】
なお、無線受信部１２０および受信処理部１３０は、第１の実施の形態の受信部１１の一例である。制御部１４０は、第１の実施の形態の制御部１２の一例である。ＣＰＵ１０１は、第１の実施の形態のプロセッサ１２ａの一例である。
【００７０】
図９は、無線送受信に関するブロック図である。移動局１００は、図８に示したブロックに加えて、アンテナ１１１，１１２，１１３，１１４を有する。
アンテナ１１１，１１３は、送信受信兼用のアンテナであり、アンテナ１１２，１１４は、受信用のアンテナである。アンテナ１１１，１１２は、無線アクセス網２１０，２２０から無線信号を受信する。また、アンテナ１１１は、無線アクセス網２１０，２２０に無線信号を送信する。アンテナ１１３，１１４は、無線アクセス網２３０から無線信号を受信する。また、アンテナ１１３は、無線アクセス網２３０に無線信号を送信する。
【００７１】
無線受信部１２０は、ＣＤＭＡ受信部１２１およびＯＦＤＭＡ受信部１２２を有する。ＣＤＭＡ受信部１２１は、アンテナ１１１，１１２で受信された１ｘ方式およびＥＶＤＯ方式の無線信号を処理する。アンテナ１１１，１１２を用いて、ダイバーシティやＭＩＭＯ（Multiple Input Multiple Output）通信が行われてもよい。ＯＦＤＭＡ受信部１２２は、アンテナ１１３，１１４で受信されたＷｉＭＡＸ方式の無線信号を処理する。アンテナ１１３，１１４を用いて、ダイバーシティやＭＩＭＯ通信が行われてもよい。
【００７２】
受信処理部１３０は、信号処理部１３１，１３２，１３３を有する。信号処理部１３１は、ＣＤＭＡ受信部１２１からデジタルベースバンド信号を取得し、１ｘ方式のベースバンド処理を行って音声信号を抽出する。信号処理部１３２は、ＣＤＭＡ受信部１２１からデジタルベースバンド信号を取得し、ＥＶＤＯ方式のベースバンド処理を行ってパケット形式のデータを抽出する。信号処理部１３１，１３２が行うベースバンド処理には、逆拡散復調が含まれる。信号処理部１３３は、ＯＦＤＭＡ受信部１２２からデジタルベースバンド信号を取得し、ＷｉＭＡＸ方式のベースバンド処理を行ってパケット形式のデータを抽出する。信号処理部１３３が行うベースバンド処理には、高速フーリエ変換（ＦＦＴ：Fast Fourier Transform）が含まれる。
【００７３】
送信処理部１６０は、信号処理部１６１，１６２，１６３を有する。信号処理部１６１は、制御部１４０から音声信号を取得して、１ｘ方式のベースバンド処理を行う。信号処理部１６２は、制御部１４０からデータを取得して、ＥＶＤＯ方式のベースバンド処理を行う。信号処理部１６１，１６２が行うベースバンド処理には、拡散変調が含まれる。信号処理部１６３は、制御部１４０からデータを取得して、ＷｉＭＡＸ方式のベースバンド処理を行う。信号処理部１６３が行うベースバンド処理には、逆高速フーリエ変換（ＩＦＦＴ：Inverse Fast Fourier Transform）が含まれる。
【００７４】
無線送信部１７０は、ＣＤＭＡ送信部１７１およびＯＦＤＭＡ送信部１７２を有する。ＣＤＭＡ送信部１７１は、信号処理部１６１から取得した１ｘ方式のデジタルベースバンド信号および信号処理部１６２から取得したＥＶＤＯ方式のデジタルベースバンド信号を処理して、送信信号としてアンテナ１１１に無線信号を出力する。ＯＦＤＭＡ送信部１７２は、信号処理部１６３から取得したＷｉＭＡＸ方式のデジタルベースバンド信号を処理して、送信信号としてアンテナ１１３に無線信号を出力する。
【００７５】
ここで、信号処理部１３１は、移動局１００が音声通信やデータ通信を行っていない待ち受け中、間欠的に動作して、無線アクセス網２１０（１ｘ）の位置登録を行い、また、ページングチャネルを受信する。信号処理部１３２は、待ち受け中、間欠的に動作して、無線アクセス網２２０（ＥＶＤＯ）の位置登録を行い、また、ＰＰＰコネクションが有効のときはページングチャネルを受信する。ＰＰＰコネクションが無効のときは、信号処理部１３２は、ページングチャネルを受信しなくてもよい。信号処理部１３３は、待ち受け中、間欠的に動作して、無線アクセス網２３０（ＷｉＭＡＸ）の位置登録を行い、また、無線アクセス網２３０の接続が有効のときはページングチャネルを受信する。接続が無効のときは、信号処理部１３３は、ページングチャネルを受信しなくてもよい。また、信号処理部１３１，１３２，１３３は、適宜、基地局サーチを行う。
【００７６】
待ち受け中、信号処理部１３１，１３２，１３３は、上記処理を実行すべきタイミング（例えば、ページングチャネルを受信するタイミング）以外の時間は、信号処理を停止することができる。ページングチャネルを受信すべきタイミングは、例えば、移動局１００が待ち受け状態となる前に、基地局２１１，２３１から通知される。ＣＰＵ１０１がサスペンド状態である間は、信号処理部１３１，１３２，１３３は、サスペンド前の制御部１４０からの指示に基づいて、間欠的に信号処理を行う。サスペンド中に自局宛てのページング情報を検出したときや、圏外のときに新たな基地局を検出したときは、信号処理部１３１，１３２，１３３は、割り込み信号をＣＰＵ１０１に送信する。
【００７７】
ただし、ＣＰＵ１０１がサスペンド状態である間は、ユーザから入力された設定情報に応じて、ＯＦＤＭＡ受信部１２２および信号処理部１３３の無線アクセス網２３０（ＷｉＭＡＸ）に関する信号処理を停止することが可能である。この場合、無線アクセス網２３０のページングチャネルの受信や基地局サーチは実行されない。信号処理の停止には、該当する回路への電力供給を停止することや、該当する回路のクロック周波数を低下させることを含む。なお、移動局１００の待ち受け中は、送信処理部１６０および無線送信部１７０も間欠的に動作させるようにしてもよい。
【００７８】
図１０は、制御部で実行されるソフトウェアの例を示すブロック図である。制御部１４０は、無線ドライバ１４１，１４５、サーチ制御部１４２，１４６、アイドル制御部１４３，１４７、データ通信制御部１４４，１４８および無線制御部１４９を有する。
【００７９】
ここで、図１０に示すブロックは、ＣＰＵ１０１が実行するプログラムのモジュールとして実装することができる。ＣＰＵ１０１がサスペンド状態であるときは、図１０に示すブロックの処理は停止している。割り込み信号がＣＰＵ１０１に対して入力されると、無線制御部１４９が処理を再開し、他のブロックを呼び出す。なお、図１０は、無線アクセス網２２０，２３０を用いたデータ通信の制御に関するブロックを示しており、無線アクセス網２１０を用いた音声通信の制御に関するブロックは省略している。
【００８０】
無線ドライバ１４１は、ＥＶＤＯ方式のデータ通信に関して、信号処理部１３２，１６２による信号処理を制御する。無線ドライバ１４５は、ＷｉＭＡＸ方式のデータ通信に関して、信号処理部１３３，１６３による信号処理を制御する。
【００８１】
サーチ制御部１４２は、無線アクセス網２２０の基地局のサーチを、無線ドライバ１４１を介して信号処理部１３２に指示する。サーチ制御部１４６は、無線アクセス網２３０の基地局のサーチを、無線ドライバ１４５を介して信号処理部１３３に指示する。
【００８２】
アイドル制御部１４３は、ＥＶＤＯ方式のデータ通信の開始および終了を検知し、ＥＶＤＯのアクティブモードとアイドルモードの切り替えを、無線ドライバ１４１を介して信号処理部１３２，１６２に指示する。アイドル制御部１４７は、ＷｉＭＡＸ方式のデータ通信の開始および終了を検知し、ＷｉＭＡＸのアクティブモードとアイドルモードの切り替えを、無線ドライバ１４５を介して信号処理部１３３，１６３に指示する。
【００８３】
データ通信制御部１４４は、ＥＶＤＯ方式のデータ通信を制御する。データ通信制御部１４８は、ＷｉＭＡＸ方式のデータ通信を制御する。
無線制御部１４９は、無線アクセス網２２０とのＰＰＰ接続、無線アクセス網２３０との接続、無線アクセス網２２０，２３０間のハンドオーバなどの制御を統括する。無線制御部１４９は、後述するように、無線アクセス網２２０（ＥＶＤＯ）から無線アクセス網２３０（ＷｉＭＡＸ）へのハンドオーバを、ＩＰ継続性（IP Continuity）が実現されるように制御することがある。ＩＰ継続性のあるハンドオーバでは、ハンドオーバ前に移動局１００に割り当てられていたＩＰアドレスが、ハンドオーバ後に引き継がれる。
【００８４】
図１１は、データ通信状態の遷移例を示す図である。図１１は、無線アクセス網２２０と移動局１００との間のデータ通信状態を示している。
状態「ＮＵＬＬ」は、移動局１００が無線アクセス網２２０に関する信号処理を停止している状態であり、移動局１００の電源がＯＦＦであるときに相当する。移動局１００の電源がＯＮになると、移動局１００が基地局２１１と無線区間のメッセージを送受信することで、状態「ＮＵＬＬ」から状態「アイドル（ＰＰＰ無効）」に遷移する。
【００８５】
状態「アイドル（ＰＰＰ無効）」は、移動局１００が無線アクセス網２２０とＰＰＰコネクションを確立していない状態である。データ通信を行う場合、移動局１００が基地局２１１との間で無線チャネルであるトラフィックチャネル（ＴＣＨ）を確立することで、状態「アイドル（ＰＰＰ無効）」から状態「無線チャネル確立」に遷移する。移動局１００が基地局２１１を介してＰＤＳＮ２２２とＰＰＰコネクションを確立すると、状態「無線チャネル確立」から状態「ＰＰＰコネクション確立」に遷移する。
【００８６】
状態「ＰＰＰコネクション確立」は、移動局１００が無線アクセス網２２０とＰＰＰコネクションを確立した状態である。移動局１００がＰＰＰコネクション上でパケット形式のデータ通信を開始すると、状態「ＰＰＰコネクション確立」から状態「アクティブ」に遷移する。状態「アクティブ」は、移動局１００が無線アクセス網２２０を利用してデータ通信を行っている状態である。移動局１００のデータ通信が終了すると、状態「アクティブ」から状態「アイドル（ＰＰＰ有効）」に遷移する。
【００８７】
状態「アイドル（ＰＰＰ有効）」は、ＰＰＰコネクションが維持された状態である。移動局１００が送信データの発生やページングによってデータ通信を行う場合、移動局１００が再びトラフィックチャネルを確立することで、状態「アイドル（ＰＰＰ有効）」から状態「無線チャネル確立」に遷移する。ただし、既にＰＰＰコネクションが有効であるため、移動局１００がＰＰＰコネクション上でデータ通信を開始することで、状態「無線チャネル確立」から状態「アクティブ」に遷移する。一方で、移動局１００が無線アクセス網２３０に接続すると無線アクセス網２２０とのＰＰＰコネクションは無効となり、状態「アイドル（ＰＰＰ有効）」から状態「アイドル（ＰＰＰ無効）」に遷移する。
【００８８】
図１２は、サスペンド設定の画面例を示す図である。制御部１４０は、入力部１５２を用いたユーザ操作に応じて、図１２に示す設定画面１５１ａを表示部１５１に表示する。  設定画面１５１ａは、ＣＰＵ１０１がサスペンド状態に移行して表示部１５１が画面ＯＦＦになる（バックライトが消灯する）とき無線アクセス網２３０（ＷｉＭＡＸ）の信号処理を停止するか否か（ＹＥＳまたはＮＯ）をユーザに選択させる。ユーザが選択しなかった場合のデフォルト値は、ＹＥＳ（無線アクセス網２３０の信号処理を停止する）に設定されている。制御部１４０は、設定画面１５１ａ上での選択を示す入力信号を入力部１５２から取得し、記憶部１５５に記憶された設定情報に選択結果を書き込む。
【００８９】
なお、設定画面１５１ａは、メニューから辿って表示される設定画面の１つであり、ＣＰＵ１０１がアクティブ状態のときにユーザ操作によって表示部１５１に表示させる。ただし、ＣＰＵ１０１がサスペンド状態になる直前に、制御部１４０が設定画面１５１ａを表示部１５１に自動的に表示して設定を促すようにしてもよい。
【００９０】
図１３は、ＣＰＵのサスペンド移行の例を示すフローチャートである。
（ステップＳ１０）制御部１４０は、ＣＰＵ１０１がアクティブ状態からサスペンド状態に移行してよいことを検知する。サスペンド状態へは、前述のように、例えば、データ通信やユーザ操作などのイベントが一定時間発生せず、ＣＰＵ１０１がアプリケーションプログラムやドライバプログラムを実行しない状態が続いたときに移行する。
【００９１】
（ステップＳ１１）制御部１４０は、無線アクセス網２２０とのＰＰＰコネクションが有効であるか判断する。ＰＰＰコネクションが有効である場合、処理をステップＳ１５に進める。ＰＰＰコネクションが有効でない場合、処理をステップＳ１２に進める。ＰＰＰコネクションが有効でない場合としては、例えば、移動局１００が無線アクセス網２３０（ＷｉＭＡＸ）を用いてデータ通信を行い、そのまま無線アクセス網２３０との接続が維持されている（ＷｉＭＡＸアイドルの状態である）場合が考えられる。
【００９２】
（ステップＳ１２）制御部１４０は、記憶部１５５に記憶された設定情報を読み出し、ＣＰＵ１０１のサスペンド時にＷｉＭＡＸの信号処理を停止する設定（ＯＦＦ設定）が有効であるか判断する。ＯＦＦ設定が有効の場合、処理をステップＳ１３に進める。ＯＦＦ設定が無効の場合、処理をステップＳ１５に進める。ＯＦＦ設定が無効の場合は、ＷｉＭＡＸアイドルが維持され、信号処理部１３３が間欠的にページングチャネルを受信する。
【００９３】
（ステップＳ１３）制御部１４０は、信号処理部１３２，１６２を制御して、無線アクセス網２２０（ＥＶＤＯ）とＰＰＰコネクションを確立する。これにより、無線アクセス網２２０に関して状態「アイドル（ＰＰＰ無効）」から状態「アイドル（ＰＰＰ有効）」に遷移する。制御部１４０は、信号処理部１３２に、ＥＶＤＯアイドルの状態の間、間欠的にページングチャネルを受信するよう指示する。
【００９４】
（ステップＳ１４）制御部１４０は、信号処理部１３３，１６３の信号処理を停止させる（ＷｉＭＡＸ回路ＯＦＦ）。例えば、制御部１４０は、信号処理部１３３，１６３への電力供給を停止し、または、信号処理部１３３，１６３のクロック周波数を低下させる。なお、制御部１４０は、ＷｉＭＡＸ回路ＯＦＦの前に、無線アクセス網２３０との接続を解除する手続きを行ってもよい。また、ステップＳ１３，Ｓ１４の処理は、並行して実行してもよく、ステップＳ１４の処理をステップＳ１３の処理の前に実行してもよい。
【００９５】
（ステップＳ１５）制御部１４０は、表示部１５１のバックライトを消灯して画面ＯＦＦの状態にする。そして、制御部１４０は、ＣＰＵ１０１をアクティブ状態からサスペンド状態に移行させる。なお、サスペンド状態へは、ステップＳ１３，Ｓ１４の処理が完了したことを制御部１４０が確認してから移行してもよいし、受信処理部１３０および送信処理部１６０にコマンドを送信して処理完了を確認せずに移行してもよい。
【００９６】
図１４は、ＣＰＵのサスペンド解除の例を示すフローチャートである。
（ステップＳ２０）制御部１４０は、割り込み信号の入力によってＣＰＵ１０１がサスペンド状態からアクティブ状態に復帰したことを検知する。すると、制御部１４０は、表示部１５１のバックライトを点灯して画面ＯＮの状態にする。
【００９７】
（ステップＳ２１）制御部１４０は、記憶部１５５に記憶された設定情報を読み出し、ＣＰＵ１０１のサスペンド時にＷｉＭＡＸの信号処理を停止する設定（ＯＦＦ設定）が有効であるか判断する。ＯＦＦ設定が有効の場合、処理をステップＳ２２に進める。ＯＦＦ設定が無効の場合、処理を終了する。ＯＦＦ設定が無効であり、信号処理部１３３が信号処理を継続している場合は、そのままＷｉＭＡＸの接続が維持される。
【００９８】
（ステップＳ２２）制御部１４０は、無線アクセス網２２０に関する状態が「アイドル（ＰＰＰ有効）」であるため、信号処理部１３２，１６２を制御して、基地局２１１とトラフィックチャネルを確立し、既存のＰＰＰコネクション上でデータ通信を開始する。
【００９９】
（ステップＳ２３）制御部１４０は、信号処理部１３３，１６３の信号処理を再開させる（ＷｉＭＡＸ回路ＯＮ）。例えば、制御部１４０は、信号処理部１３３，１６３への電力供給を再開し、または、信号処理部１３３，１６３のクロック周波数を上げる。
【０１００】
（ステップＳ２４）制御部１４０は、信号処理部１３３を制御して、無線アクセス網２３０（ＷｉＭＡＸ）の基地局をサーチさせる。信号処理部１３３は、無線フレームのプリアンブルを検出して、アクセス可能な基地局（例えば、受信電力レベルや受信品質が閾値以上の無線信号を送信している基地局）をサーチする。なお、ステップＳ２２の処理とステップＳ２３，Ｓ２４の処理とは、並列に実行してもよく、ステップＳ２３，Ｓ２４の処理をステップＳ２２の処理の前に実行してもよい。
【０１０１】
（ステップＳ２５）制御部１４０は、ステップＳ２４のサーチ結果から、移動局１００が無線アクセス網２３０の圏内であるか判断する。圏内である場合、処理をステップＳ２６に進める。圏外である場合、処理を終了する。圏外と判断された場合には、信号処理部１３３は、移動局１００が無線アクセス網２３０の圏内に戻ったことを検出するため、間欠的に基地局サーチを続ける。ただし、基地局サーチを停止するようにしてもよい。
【０１０２】
（ステップＳ２６）制御部１４０は、信号処理部１３２，１３３，１６２，１６３を制御して、無線アクセス網２２０（ＥＶＤＯ）から無線アクセス網２３０（ＷｉＭＡＸ）へのハンドオーバを実行する。このハンドオーバは、移動局１００に割り当てられたＩＰアドレスが変化しないように、ＩＰ継続性のあるハンドオーバとする。これにより、ＩＰコアネットワーク３２０から移動局１００へのデータ通信サービスが途切れないようにすることができる。なお、ハンドオーバの手順の詳細は後述する。
【０１０３】
（ステップＳ２７）制御部１４０は、信号処理部１３３，１６３を制御して、無線アクセス網２３０を用いたデータ通信を開始する。なお、無線アクセス網２３０へのハンドオーバによって、無線アクセス網２２０とのＰＰＰコネクションは無効となる。
【０１０４】
図１５は、サスペンド時のデータ通信状態の遷移例を示す図である。ここでは、サスペンド時にＷｉＭＡＸの信号処理を停止する設定が有効である場合を考える。
移動局１００が無線アクセス網２３０（ＷｉＭＡＸ）を用いてデータ通信を行った後には、そのままデータ通信経路が無線アクセス網２３０に設定されており、無線アクセス網２２０（ＥＶＤＯ）のＰＰＰコネクションは無効となっている。そのため、移動局１００は、ＷｉＭＡＸアイドルの状態で、無線アクセス網２３０からページングチャネルを間欠的に受信する。一方、移動局１００は、ＥＶＤＯアイドルの状態を維持するものの、無線アクセス網２２０からページングチャネルを受信しない。
【０１０５】
データ通信が行われずにＣＰＵ１０１がサスペンド状態に移行するとき、移動局１００は、無線アクセス網２２０とＰＰＰコネクションを確立する。これにより、データ通信経路が無線アクセス網２２０に設定されるため、移動局１００は、ＥＶＤＯアイドルを維持して、無線アクセス網２２０からページングチャネルを間欠的に受信する。また、移動局１００は、ＷｉＭＡＸの信号処理を停止する（ＷｉＭＡＸ回路ＯＦＦ）。その後、移動局１００は、ＣＰＵ１０１をサスペンド状態に移行させる。
【０１０６】
ＣＰＵ１０１がサスペンド状態である間、移動局１００は、ＥＶＤＯアイドルを維持して、無線アクセス網２２０からページングチャネルを間欠的に受信する。また、移動局１００は、ＷｉＭＡＸ回路ＯＦＦを維持する。ＣＰＵ１０１のサスペンド状態が解除されると、移動局１００は、無線アクセス網２２０を用いたデータ通信を開始して、ＥＶＤＯアクティブの状態とする。また、移動局１００は、ＷｉＭＡＸの信号処理を再開し（ＷｉＭＡＸ回路ＯＮ）、無線アクセス網２３０の圏内であることを確認する。
【０１０７】
サスペンド解除後に無線アクセス網２３０の圏内であることが確認されると、移動局１００は、無線アクセス網２２０から無線アクセス網２３０に、ＩＰ継続性のあるハンドオーバを行う。そして、移動局１００は、無線アクセス網２３０を用いたデータ通信を開始して、ＷｉＭＡＸアクティブの状態とする。これにより、データ通信経路が無線アクセス網２３０に設定され、無線アクセス網２２０のＰＰＰコネクションは無効となる。
【０１０８】
図１６は、無線アクセス網への接続例を示すシーケンス図である。図１６は、移動局１００が無線アクセス網２３０に接続する手順の例を示している。
基地局２３１は、ＤＬサブフレームで、無線リソースの割り当てを示すＤＬ−ＭＡＰとＵＬ−ＭＡＰを送信している。移動局１００は、基地局２３１からＤＬ−ＭＡＰを受信してＵＬ−ＭＡＰの位置を確認し、ＵＬ−ＭＡＰを受信する（ステップＳ１１０）。基地局２３１は、ＤＬサブフレームのＤＬバーストで、ＵＬサブフレームの物理特性（使用可能な変調符号化方式など）を示すＵＬチャネル記述子を送信している。移動局１００は、ＤＬ−ＭＡＰを参照し、ＵＬチャネル記述子を受信する（ステップＳ１１１）。
【０１０９】
移動局１００は、基地局２３１から受信したＵＬ−ＭＡＰとＵＬチャネル記述子を参照して、ＵＬサブフレームに設けられたレンジング領域の位置と使用可能なレンジングコードを特定する。そして、移動局１００は、基地局２３１にレンジングコードを送信する（ステップＳ１１２）。基地局２３１は、レンジングコードを検出すると、レンジング応答（ＲＮＧ−ＲＳＰ）メッセージをセル内に送信する。なお、この時点では、基地局２３１は、レンジングコードの送信元を認識していない（ステップＳ１１３）。
【０１１０】
基地局２３１は、レンジングコードの送信元に、ＵＬバーストの無線リソースを割り当て、割り当て結果を反映したＵＬ−ＭＡＰを送信する（ステップＳ１１４）。移動局１００は、基地局２３１からＲＮＧ−ＲＳＰメッセージを受信すると、ＵＬ−ＭＡＰを参照して、自局に割り当てられたＵＬバーストの無線リソースを確認する。そして、移動局１００は、割り当てられた無線リソースを用いて、レンジング要求（ＲＮＧ−ＲＥＱ）メッセージを基地局２３１に送信する。ＲＮＧ−ＲＥＱメッセージには、移動局１００を識別するためのＭＡＣ（Medium Access Control）アドレスが含まれる（ステップＳ１１５）。
【０１１１】
基地局２３１は、ＲＮＧ−ＲＥＱメッセージを受信して移動局１００を認識し、コネクションを識別するためのコネクションＩＤを付与する。そして、基地局２３１は、コネクションＩＤを含むレンジング応答（ＲＮＧ−ＲＳＰ）メッセージを移動局１００に送信する。以降、移動局１００は、コネクションＩＤを用いて基地局２３１と通信する（ステップＳ１１６）。移動局１００は、互いの物理レイヤ情報を基地局２３１と交換するため、自局の物理パラメータやセキュリティ方式の情報を含むメッセージ（ＳＢＣ−ＲＥＱ）を送信する（ステップＳ１１７）。基地局２３１は、自局の物理パラメータやセキュリティ方式の情報を含むメッセージ（ＳＢＣ−ＲＳＰ）を送信する（ステップＳ１１８）。
【０１１２】
図１７は、無線アクセス網への接続例を示すシーケンス図（続き）である。図１７は、図１６に続き、移動局１００が無線アクセス網２３０に接続する手順の例を示している。
移動局１００および基地局２３１は、ＥＡＰ（Extensible Authentication Protocol）を用いた移動局１００の認証、および、移動局１００へのデータ通信に用いる暗号鍵の配信を実行する（ステップＳ１１９）。移動局１００は、自局の通信能力の情報を含むレジストレーション要求（ＲＥＧ−ＲＥＱ）メッセージを基地局２３１に送信する（ステップＳ１２０）。基地局２３１は、移動局１００の通信能力と基地局２３１の通信能力に基づいて、無線通信の運用モードを決定し、運用モードの情報を含むレジストレーション応答（ＲＥＧ−ＲＳＰ）メッセージを移動局１００に送信する（ステップＳ１２１）。
【０１１３】
移動局１００と基地局２３１のネゴシエーションによって運用モードが決定すると、基地局２３１は、ＩＰアドレスの割り当てに用いられる初期サービスフローを設定するために、サービス要求（ＤＳＡ−ＲＥＱ）メッセージを移動局１００に送信する（ステップＳ１２２）。移動局１００は、トランザクションＩＤやＱｏＳ（Quality of Service）パラメータなどのサービス内容を確認し、サービス応答（ＤＳＡ−ＲＳＰ）メッセージを基地局２３１に送信する（ステップＳ１２３）。基地局２３１は、初期サービスフローを設定し、ＤＳＡ−ＲＳＰメッセージを移動局１００に送信する（ステップＳ１２４）。
【０１１４】
移動局１００は、初期サービスフローが設定されると、ＤＨＣＰ（Dynamic Host Configuration Protocol）を用いて、ＤＩＳＣＯＶＥＲメッセージを基地局２３１に送信する（ステップＳ１２５）。基地局２３１は、移動局１００に割り当てるＩＰアドレスの候補を示すＯＦＦＥＲメッセージを移動局１００に送信する（ステップＳ１２６）。移動局１００は、通知された候補を使用して問題がないことを確認して、ＲＥＱＵＥＳＴメッセージを基地局２３１に送信する（ステップＳ１２７）。基地局２３１は、先に通知した候補が移動局１００に割り当てられたことを示すＡＣＫメッセージを移動局１００に送信する（ステップＳ１２８）。
【０１１５】
図１８は、ページングチャネルの受信例を示すシーケンス図である。図１８は、無線アクセス網２３０（ＷｉＭＡＸ）にデータ通信経路が設定されており、移動局１００が無線アクセス網２３０からページングチャネルを受信する場合を示している。
【０１１６】
移動局１００は、無線アクセス網２３０を用いたデータ通信が終了して１０秒経過すると、ＷｉＭＡＸアイドル状態に移行するため、レジストレーション解除要求（ＤＲＥＧ−ＲＥＱ）メッセージを基地局２３１に送信する。ＤＲＥＧ−ＲＥＱメッセージでは、アクションコード＝１が指定される（ステップＳ１３０）。基地局２３１は、移動局１００がＷｉＭＡＸアイドル状態に移行することを許可すると、レジストレーション解除指示（ＤＲＥＧ−ＣＭＤ）メッセージを移動局１００に送信する。ＤＲＥＧ−ＣＭＤメッセージでは、アクションコード＝５が指定される（ステップＳ１３１）。
【０１１７】
基地局２３１は、ページングチャネルでメッセージ（ＭＯＢ＿ＰＡＧ−ＡＤＶ）を定期的に送信する。移動局１００は、所定周期（例えば、１．２８秒周期）でページングチャネルを受信し、自局の呼び出しがあるか判断する。自局の呼び出しがない場合、移動局１００は、次にページングチャネルを受信するタイミングまで、無線アクセス網２３０の信号処理を停止する（ステップＳ１３２，Ｓ１３３，Ｓ１３４）。自局の呼び出しを検出すると、移動局１００は、ＷｉＭＡＸアイドル状態を解除し（ステップＳ１３５）、無線アクセス網２３０からのデータ受信を開始する（ステップＳ１３６）。
【０１１８】
図１９は、他の無線アクセス網への接続例を示すシーケンス図である。図１８は、移動局１００が、状態「アイドル（ＰＰＰ無効）」から、ＰＰＰコネクションの確立を行い、状態「アイドル（ＰＰＰ有効）」に遷移するための手順の例を示している。図１８に示すシーケンスは、例えば、前述のステップＳ１３において実行される。
【０１１９】
移動局１００は、基地局２１１と通信し、無線チャネルであるトラフィックチャネルを確立する（ステップＳ２１０）。移動局１００は、トラフィックチャネル上で基地局２１１にアクセスし、基地局２１１およびＰＣＦ２２１を介して、移動局１００とＰＤＳＮ２２２との間にＰＰＰコネクションを確立する（ステップＳ２１１）。
【０１２０】
ＰＤＳＮ２２２は、移動局１００を認証するため、生成された乱数を含むＣＨＡＰ（Challenge Handshake Authentication Protocol）チャレンジメッセージを移動局１００に送信する（ステップＳ２１２）。移動局１００は、所定の一方向性関数（例えば、ハッシュ関数）を乱数に適用し、計算結果を含むＣＨＡＰ応答メッセージをＰＤＳＮ２２２に送信する。移動局１００の計算結果が、生成された乱数を所定の一方向関数に適用することでネットワーク側において計算される「期待される計算結果」と一致すれば、移動局１００が接続権限を有するものとして承認されることになる（ステップＳ２１３）。
【０１２１】
ＰＤＳＮ２２２は、ＡＡＡサーバ３２２に移動局１００の認証を要求する（ステップＳ２１４）。ＡＡＡサーバ３２２は、ホームエージェント３２１との間で認証手続きのメッセージを送受信し、ホームエージェント３２１に移動局１００を登録する（ステップＳ２１５）。ＡＡＡサーバ３２２は、認証成功を示す応答メッセージをＰＤＳＮ２２２に送信する（ステップＳ２１６）。ＰＤＳＮ２２２は、ＣＨＡＰ認証成功を示すメッセージを移動局１００に送信する（ステップＳ２１７）。また、ホームエージェント３２１は、移動局１００にＩＰアドレスを割り当てる（ステップＳ２１８）。
【０１２２】
移動局１００は、移動局１００が認証され移動局１００にＩＰアドレスが割り当てられると、データ通信を終了する（ステップＳ２１９）。移動局１００は、ＰＤＳＮ２２２と確立したＰＰＰコネクションを維持したまま、ＥＶＤＯアイドル状態となる。
【０１２３】
図２０は、ＰＰＰ接続の例を示すシーケンス図である。図２０は、ステップＳ２１１におけるＰＰＰコネクション確立のシーケンスの詳細を示している。なお、ＰＰＰについての詳細は、ＲＦＣ（Request for Comment）１６６１にも記載されている。
【０１２４】
移動局１００は、トラフィックチャネル上で、ＰＰＰコネクションの設定開始を基地局２１１に要求する（ステップＳ２２０）。基地局２１１は、設定開始の確認応答を移動局１００に送信する（ステップＳ２２１）。基地局２１１は、ＰＣＦ２２１とＡ８コネクションを確立し、Ａ８コネクション上でＰＣＦ２２１に設定要求を送信する（ステップＳ２２２）。ＰＣＦ２２１は、ＰＤＳＮ２２２とＡ１０コネクションを確立し、Ａ１０コネクション上でＰＤＳＮ２２２に登録要求を送信する（ステップＳ２２３）。
【０１２５】
ＰＤＳＮ２２２は、登録応答をＰＣＦ２２１に送信する（ステップＳ２２４）。ＰＣＦ２２１は、接続通知を基地局２１１に送信する（ステップＳ２２５）。基地局２１１は、完了通知をＰＣＦ２２１に送信する（ステップＳ２２６）。これにより、移動局１００が基地局２１１およびＰＣＦ２２１を介してＰＤＳＮ２２２と通信可能となる。移動局１００は、ＰＤＳＮ２２２との間にＰＰＰコネクションを設定する（ステップＳ２２７）。
【０１２６】
図２１は、他のページングチャネルの受信例を示すシーケンス図である。図２１は、無線アクセス網２２０（ＥＶＤＯ）にデータ通信経路が設定されており、移動局１００が無線アクセス網２２０からページングチャネルを受信する場合を示している。図２１のシーケンスは、例えば、前述のステップＳ１５の後に実行される。
【０１２７】
基地局２１１は、ページングチャネルを定期的に送信する。移動局１００は、所定周期（例えば、５．１２秒周期）でページングチャネルを受信し、自局の呼び出しがあるか判断する。自局の呼び出しがない場合、移動局１００は、次にページングチャネルを受信するタイミングまで、無線アクセス網２２０の信号処理を停止する（ステップＳ２３０）。
【０１２８】
移動局１００は、自局の呼び出しを検出すると（ステップＳ２３１）、基地局２１１に接続要求を送信する（ステップＳ２３２）。基地局２１１は、移動局１００からの接続要求を検出すると、ＡＣＫを移動局１００に送信する（ステップＳ２３３）。
【０１２９】
基地局２１１は、トラフィックチャネルを移動局１００に割り当て、チャネル割り当てを移動局１００に通知する（ステップＳ２３４）。移動局１００は、基地局２１１から割り当てられたトラフィックチャネルについてパイロット信号を送信する（ステップＳ２３５）。基地局２１１は、移動局１００から受信したパイロット信号に基づいて、割り当てたトラフィックチャネルの通信品質が問題ないことを確認し、ＲＣＴ（Radio Conformance Test）のＡＣＫを移動局１００に送信する（ステップＳ２３６）。移動局１００は、トラフィックチャネルの設定完了を基地局２１１に通知する（ステップＳ２３７）。
【０１３０】
移動局１００は、基地局２１１からのデータ受信を開始する（ステップＳ２３８）。このとき、ＰＰＰコネクションが既に確立されているため、無線チャネルの確立後に迅速にデータ通信を開始することができる。基地局２１１は、移動局１００宛てのデータ送信が完了すると、無線チャネルのコネクション解放を移動局１００に通知する（ステップＳ２３９）。移動局１００は、無線チャネルのコネクションを解放し、基地局２１１に応答する（ステップＳ２４０）。ただし、ＰＰＰコネクションは維持される。これにより、移動局１００は、再び状態「アイドル（ＰＰＰ有効）」に遷移する。
【０１３１】
図２２は、ハンドオーバの例を示すシーケンス図である。図２２は、移動局１００が、無線アクセス網２２０（ＥＶＤＯ）から無線アクセス網２３０（ＷｉＭＡＸ）に、ＩＰアドレスの割り当てが維持される（ＩＰ継続性のある）ハンドオーバを行う場合を示している。図２２のシーケンスは、例えば、前述のステップＳ２６で実行される。
【０１３２】
なお、ＥＶＤＯネットワークからＷｉＭＡＸネットワークへのハンドオーバの例については、Peretz Feder, Ramana Isukapalli and Semyon Mizikovsky, WiMAX-EVDO Interworking Using Mobile IP, IEEE (The Institute of Electrical and Electronics Engineers) Communications Magazine, pp.122-131, June 2009にも記載されている。
【０１３３】
移動局１００は、基地局２１１と無線チャネルを確立し、基地局２１１を介してＰＤＳＮ２２２に接続する（ステップＳ３１０）。ＰＳＤＮ２２２は、ＡＡＡサーバ３２２に移動局１００の認証を要求する。ＡＡＡサーバ３２２は、ＲＡＮ（Radio Access Network）認証を行う（ステップＳ３１１）。移動局１００は、ＰＰＰネゴシエーションにより、ＰＤＳＮ２２２との間でＰＰＰセッションを設定する（ステップＳ３１２）。ＰＤＳＮ２２２は、ＭＩＰ（Mobile Internet Protocol）メッセージであるＦＡ  ａｄｖｅｒｔｉｓｅｍｅｎｔを移動局１００に送信する（ステップＳ３１３）。
【０１３４】
移動局１００は、ＭＩＰ登録要求をＰＤＳＮ２２２に送信する。ＭＩＰ登録要求には、自局のＩＰアドレスが含まれ得る（ステップＳ３１４）。ＰＤＳＮ２２２は、ＡＡＡサーバ３２２にアクセスする（ステップＳ３１５）。ＡＡＡサーバ３２２は、移動局１００がホームエージェント３２１に既に登録されていることを確認し、ホームエージェント３２１の情報を含むアクセス応答をＰＤＳＮ２２２に送信する（ステップＳ３１６）。
【０１３５】
ＰＤＳＮ２２２は、ＡＡＡサーバ３２２から通知されたホームエージェント３２１に、ＭＩＰ登録要求を送信する。このＭＩＰ登録要求は、移動局１００がＥＶＤＯネットワークに存在することを示している（ステップＳ３１７）。ホームエージェント３２１は、移動局１００が登録済みであることを確認して、暗号鍵をＡＡＡサーバ３２２に要求し、ＡＡＡサーバ３２２から取得した暗号鍵を用いてＭＩＰ登録要求を有効にする（ステップＳ３１８）。ホームエージェント３２１は、移動局１００に割り当て済みのＩＰアドレスを維持し、ＭＩＰ登録応答をＰＤＳＮ２２２に送信する（ステップＳ３１９）。
【０１３６】
ＰＤＳＮ２２２は、移動局１００が無線アクセス網２２０を利用することによる移動局１００への課金を開始するよう、ＡＡＡサーバ３２２に通知する（ステップＳ３２０）。ＰＤＳＮ２２２は、ＭＩＰ登録応答を移動局１００に送信する（ステップＳ３２１）。これにより、ＰＤＳＮ２２２を介して、移動局１００とホームエージェント３２１との間にデータパスが確立される（ステップＳ３２２）。
【０１３７】
移動局１００は、無線アクセス網２３０への接続を行う（ステップＳ３２３）。ＡＳＮゲートウェイ２３２は、ＡＡＡサーバ３２２に移動局１００の認証を要求する。ＡＡＡサーバ３２２は、移動局１００のＥＡＰ認証を行う。また、ＡＡＡサーバ３２２は、移動局１００に対してホームエージェント３２１を指定する（ステップＳ３２４）。
【０１３８】
図２３は、ハンドオーバの例を示すシーケンス図（続き）である。
ＡＳＮゲートウェイ２３２は、基地局２３１を介して移動局１００との間に、初期サービスフローを設定する（ステップＳ３２５）。移動局１００は、ＤＨＣＰを用いて、ＤＩＳＣＯＶＥＲメッセージをＡＳＮゲートウェイ２３２に送信する（ステップＳ３２６）。ＡＳＮゲートウェイ２３２は、ＭＩＰ登録要求を、ＡＡＡサーバ３２２から指定されたホームエージェント３２１に送信する。ＭＩＰ登録要求には、移動局１００がＷｉＭＡＸネットワークに存在することを示す情報が含まれる（ステップＳ３２７）。
【０１３９】
ホームエージェント３２１は、ＭＩＰ登録要求を有効にするための暗号鍵を、ＡＡＡサーバ３２２に要求する（ステップＳ３２８）。ＡＡＡサーバ３２２は、ホームエージェント３２１に暗号鍵を送信する（ステップＳ３２９）。ホームエージェント３２１は、ＡＡＡサーバ３２２から受信した暗号鍵を用いて、ＭＩＰ登録要求を有効にする。そして、ホームエージェント３２１は、移動局１００に割り当て済みのＩＰアドレスを維持し、ＡＳＮゲートウェイ２３２にＭＩＰ登録応答を送信する（ステップＳ３３０）。
【０１４０】
ＡＳＮゲートウェイ２３２は、ＤＨＣＰのＯＦＦＥＲメッセージを、基地局２３１を介して移動局１００に送信する（ステップＳ３３１）。移動局１００は、ＲＥＱＵＥＳＴメッセージを、基地局２３１を介してＡＳＮゲートウェイ２３２に送信する（ステップＳ３３２）。ＡＳＮゲートウェイ２３２は、ＡＣＫメッセージを、基地局２３１を介して移動局１００に送信する（ステップＳ３３３）。ＡＳＮゲートウェイ２３２は、基地局２３１を介して移動局１００との間にサービスフローを確立する（ステップＳ３３４）。
【０１４１】
ＡＮＳゲートウェイ２３２は、移動局１００が無線アクセス網２３０を利用することによる移動局１００への課金を開始するよう、ＡＡＡサーバ３２２に通知する（ステップＳ３３５）。ＡＳＮゲートウェイ２３２を介して、移動局１００とホームエージェント３２１との間にデータパスが確立される（ステップＳ３３６）。移動局１００から無線アクセス網２３０への接続が成功すると、移動局１００と無線アクセス網２２０とのＰＰＰコネクションが無効になり、データ通信経路が変更される（ステップＳ３３７）。ＰＤＳＮ２２２は、移動局１００が無線アクセス網２２０を利用することによる移動局１００への課金を停止するよう、ＡＡＡサーバ３２２に通知する（ステップＳ３３８）。
【０１４２】
なお、以上の説明では、移動局１００は、ハンドオーバとしてＭＢＢＨＯ（Make-Before-Break Handover）を行うこととしたが、ＢＢＭＨＯ（Break-Before-Make Handover）を行ってもよい。その場合、移動局１００は、無線アクセス網２２０とのコネクションを切断した後に無線アクセス網２３０との接続を有効にする。
【０１４３】
第２の実施の形態の移動通信システムによれば、ＣＰＵ１０１がサスペンド状態に移行するとき、移動局１００での無線アクセス網２３０（ＷｉＭＡＸ）の信号処理を自動的に停止することができる。よって、カバーエリアの狭い無線アクセス網２３０の圏外サーチが高頻度で発生することによる消費電力の増加を回避でき、移動局１００の省電力化を図ることができる。また、無線アクセス網２３０の信号処理を停止するときは、移動局１００が無線アクセス網２２０（ＥＶＤＯ）とＰＰＰコネクションを確立することで、データ通信経路を無線アクセス網２２０に自動的に切り替えることができる。よって、移動局１００が無線アクセス網２２０から自局宛てのページング情報を受信することができる。
【０１４４】
また、移動局１００はＰＰＰコネクションを維持しているため、無線アクセス網２２０から呼び出しを受けた後にＰＰＰコネクションを確立する手続きを行わなくてよく、データ通信開始までのオーバヘッドを抑制できる。また、サスペンド状態が解除されたとき、移動局１００が無線アクセス網２３０の圏内にいればハンドオーバを行って無線アクセス網２３０に自動的に接続するため、高速・広帯域の無線アクセス網２３０を優先的に利用できる。また、ＩＰ継続性のあるハンドオーバを行うことで、ＩＰコアネットワーク３２０が移動局１００に途切れなくデータ通信サービスを提供することができる。また、サスペンド状態に移行するとき無線アクセス網２３０の信号処理を停止するか否かをユーザが設定できるようにすることで、省電力化と無線アクセス網２３０を用いたデータ通信開始の迅速性の何れを優先するか、ユーザに選択させることができる。
【符号の説明】
【０１４５】
１０  移動通信装置
１１  受信部
１２  制御部
１２ａ  プロセッサ
２１，２２  無線アクセス網
【図１】
2013030953.tif 000003
【図２】
2013030953.tif 000004
【図３】
2013030953.tif 000005
【図４】
2013030953.tif 000006
【図５】
2013030953.tif 000007
【図６】
2013030953.tif 000008
【図７】
2013030953.tif 000009
【図８】
2013030953.tif 000010
【図９】
2013030953.tif 000011
【図１０】
2013030953.tif 000012
【図１１】
2013030953.tif 000013
【図１２】
2013030953.tif 000014
【図１３】
2013030953.tif 000015
【図１４】
2013030953.tif 000016
【図１５】
2013030953.tif 000017
【図１６】
2013030953.tif 000018
【図１７】
2013030953.tif 000019
【図１８】
2013030953.tif 000020
【図１９】
2013030953.tif 000021
【図２０】
2013030953.tif 000022
【図２１】
2013030953.tif 000023
【図２２】
2013030953.tif 000024
【図２３】
2013030953.tif 000025